(57)【要約】【課題】ケース封印部に開放方向の外力が付加された場合にもピン部材が破損することなくその開放を阻止できる基板ケースを提供する。【解決手段】制御基板を保持するケース本体２０Ａの正面開口部をカバー２０Ｂにて密閉する。カバー２０Ｂは、回動支点側と反対側の開放側の縁部に設けられたロック機構により、ケース本体２０Ａに開放不能に固定される。ロック機構は、ケース本体２０Ａの開放側の縁部にカバー２０Ｂの開閉方向と交差する方向に保持された内蔵ロックピンユニット４０を有する。内蔵ロックピンユニット４０は、先端方向に付勢されたロックピン４１を有し、カバー２０Ｂの閉止時、その開放側の縁部にピン操作部２２Ｂとして設けられた爪部２６Ｂのテーパー部２８Ｂによりロックピン４１が後退し、テーパー部２８Ｂの奥側に設けられた嵌合部２７Ｂにロックピン４１が突出嵌合する。【選択図】図１８
2010088465.tif 000002
【特許請求の範囲】
【請求項１】
ケース本体とカバーとが嵌合することにより形成される箱状の内部空間内に、遊技機用の回路基板を封入する基板ケースであって、
背板とその周囲の側壁によって箱状となるケース本体とカバーの上側壁上面の両側には、対応位置にそれぞれ突出部が形成されており、
ケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする基板ケース。
【請求項２】
請求項１に記載の基板ケースにおいて、
固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定されること、
を特徴とする基板ケース。
【請求項３】
請求項１又は請求項２に記載の基板ケースにおいて、
カバーの突出部の間に設けられた固定部には、固定部を破壊するための工具穴が形成されていること、
を特徴とする基板ケース。
【請求項４】
請求項１又は請求項２に記載の基板ケースにおいて、
第１ピン操作部には、第１ピン操作部を破壊するための工具穴が形成されていること、
を特徴とする基板ケース。
【請求項５】
機内に固定されたケースホルダーに基板ケースを保持する遊技機において、
基板ケースは、ケース本体とカバーとが嵌合することにより形成される箱状の内部空間内に遊技機用の回路基板を封入すると共に、背板とその周囲の側壁によって箱状となるケース本体とカバーの上側壁上面の両側には、対応位置にそれぞれ突出部が形成されており、
ケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする遊技機。
【発明の詳細な説明】
【技術分野】
【０００１】
本発明は、パチスロ機と呼ばれる回胴式遊技機やパチンコ機といった遊技機において、制御基板を機内に安全に取付けるための基板ケース及び基板取付け装置に関する。また、当該基板ケース及び基板取付け装置を内蔵する遊技機そのものに関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置には、不正改造を阻止するための様々な工夫が講じられている。
【０００４】
不正改造を阻止するための工夫を講じた典型的な基板取付け装置は、例えば特許文献１に記載されているように、主基板を収容する比較的薄型の基板ケースと、基板ケースを遊技機のキャビネットの背板表面に取り付けるためのケースホルダーとからなる。また、他の不正改造技術として、特許文献２〜４が出願公開されている。
【０００５】
基板ケースは、長方形の主基板を内部に保持する長方形の浅いケース本体と、ケース本体の正面開口部を塞ぐための長方形のカバーとを有しており、全方向から内部の主基板が見えるようにいずれも透明樹脂により形成されている。カバーは、下辺の回動係合部と上辺の両側部に取付けられた複数のカシメピンとによりケース本体に取り外し不能に固定される。
【０００６】
ケースホルダーは、基板ケースに対応する長方形の樹脂板からなり、キャビネットの背板の表面に固定ピンにより取外し不能に取付けられる一方、正面側に基板ケースを取り外し不能に保持する。具体的には、ケースホルダーの下辺部に設けられた複数の係合突起と、基板ケースの上辺中央部に保持された複数のカシメピンとにより、基板ケースはケースホルダーに取り外し不能に固定される。
【０００７】
【特許文献１】特開２００７−３０１１２６号公報
【特許文献２】特開２００７−３０１１２６号公報
【特許文献３】特開平１１−１７９０２６号公報
【特許文献４】特開平１１−４７４０２号公報
【０００８】
このような基板取付け装置によると、カシメピンによるカシメ封印部をニッパー等の工具で破壊しない限り、基板ケースをケースホルダーから取り外すことができないし、基板ケースを開放することもできない。そして、カシメ封印部をニッパー等の工具で破壊した場合は、その痕跡が明確に残り、その痕跡は遊技機の前扉を開けると直ぐに見付けることができる。これに加えて、透明な基板ケースを通して内部の主基板の表面を直接監視することもできる。これらの結果として、基板ケースを開放して主基板に細工するとか、基板ケースごと主基板を取り替えるといった不正行為は効果的に防止される。
【０００９】
ところが、不正行為の手口は年々巧妙化する一方、大胆化しており、基板ケースのカシメ封印側を力ずくでこじ開けるというようなことも行われ始めた。その場合、従来のカシメ封印部では、基板ケースが破壊に至る前にカシメピンが変形して、意外に簡単にケースが開くことがある。こうしてケースを不正に開放された場合、ケースに不正開放の痕跡が殆ど残らず、カシメピンの変形も分かり辛いという問題がある。
【００１０】
カシメピンによるカシメ封印部が大きな外力に対して弱点を曝す理由としては、次のようなことが考えられる。カシメピンの特性上、そのピンはケースの開放方向に平行に配置される。その材質としては、カシメピンで基板ケースをロックするとき、カシメピンの変形を利用する関係から、ある程度柔軟な樹脂を使用する必要がある。これらのために、カシメ封印部に開放方向の大きな外力が加わると、意外に簡単に開き、しかも、その痕跡が殆ど残らないのである。
【００１１】
カシメ封印部の別の問題として、カシメピンの破壊がある。すなわち、従来のカシメ封印部では、基板ケースを閉じた後に正面側からピン穴にカシメピンを強制的に押し込むことにより、ケースが封印される。このようなカシメ封印部では、カシメピンの後端が正面側に露出しているために、カシメピンのみが破壊され、ケースが不正開放されることがあるのである。この場合は、不正開放の痕跡がケースに残ることはない。この行為は、基板ケースのカシメ封印部だけでなく、基板ケースをケースホルダーに固定するためのカシメ封印部でも問題になっており、基板ケースがケースホルダーから不正に取り外されることにより、ケースの裏面側からケースを破壊して基板の裏面に不正改造をされる。
【発明の開示】
【発明が解決しようとする課題】
【００１２】
本発明の目的は、ピン部材によるケース封印部に開放方向の大きな外力が付加された場合にもそのピン部材が破損することなくその開放を阻止できると共に、ピン部材に対する外部からの破壊行為を阻止できるセキュリティ度の高い基板ケースを提供することにある。
【００１３】
本発明の別の目的は、基板を封入する基板ケースをケースホルダーに固定するためのピン部材に対する外部からの破壊行為を阻止できるセキュリティ度の高い基板取付け装置を提供することにある。また、基板ケースや基板取付け装置を内蔵することにより、セキュリティが格段に向上した遊技機を提供することにある。
【課題を解決するための手段】
【００１４】
上記目的を達成するために、本発明の基板ケースは、遊技機用の制御基板を封入する基板ケースであって、正面が開放し内側に制御基板を保持するケース本体と、ケース本体の正面開口部を密閉してケース内に制御基板を封入するカバーと備えており、前記カバーは、ケース本体の特定の縁部にその縁部を回動支点として傾動可能に係合すると共に、支点側と反対側の開放側の縁部に設けられたロック機構により、ケース本体に開放不能に固定され、前記ロック機構は、ケース本体又はカバーの何れか一方の部材の開放側の縁部にカバーの開閉方向と交差する方向に内蔵保持され、ピンホルダーにロックピンが進退可能に収容されると共に、ピンホルダーから進出方向にロックピンが付勢されたロックピンユニットと、他方の部材の開放側の縁部に設けられたテーパー部により、カバーの閉止動作に伴ってロックピンがピンホルダー内へ押し込まれ、テーパー部の奥側に設けられた嵌合部にロックピンが突出嵌合することにより、カバーの開放側の縁部を閉止状態に固定する第１ピン操作部とを有する構成である。
【００１５】
本発明の基板ケースにおいては、ケース本体とカバーの封止にロックピンユニットが使用される。ロックピンユニットは、ピンホルダーにロックピンが進退可能に収容されると共に、ピンホルダーから進出方向にロックピンが付勢された構成であり、ケース本体又はカバーの何れか一方の部材の開放側の縁部にカバーの開閉方向と交差する方向、望ましくは直角な方向に内蔵保持される。そして、カバーを閉じることにより、第１ピン操作部内のロックピンが付勢力に抗してホルダー内に押し込まれ、カバーが完全に閉じた状態で再度突出してカバーを係止することにより、カバーを閉止位置に固定する。
【００１６】
ここで、ロックピンはスライド式であって、予めケース内に組み込まれ、ケース外から差し込まれないため、ロック後にケース外に露出しない。このため、従来の変形型ロックピンによる封止部と比べて、ロックピンをケース外から細工することが困難である。しかも、ロックピンはカバーの開放方向と交差する方向、望ましくは直角な方向に配置されると共に、スライド形式であるため、変形が困難な硬質樹脂で形成することができる。このため、カバーに開放方向の大きな外力が加わっても、ロックピンの変形によるカバーの開放は生じない。閉止状態にロックされたカバーを開けるためには、カバーのロックピン周辺部分を破壊して、ロックピンをホルダー内へ強制的に押し込まなければならず、その痕跡は明確にケースに残る。
【００１７】
ロックピンユニットにおけるピンホルダーは、ケース本体の開放側縁部の両側部分に対向配置し、その間に、基板ケースをケースホルダーに固定するための固定部を設けるのが、外力が付加されたときのカバーの開放を阻止する上で効果的である。ここにおける固定部は、カバーの開放側縁部、望ましくはその側縁に沿って複数設け、ケース本体の開放側縁部の両側部分に対向配置された一対のピンホルダーの間に設けられた切欠き部を通して当該ケースをケースホルダーに固定する構成が好ましい。
【００１８】
なぜなら、制御基板を封入した後の基板ケースは原則開放されない。これに対して、警察等による基板検査の際に基板の裏面の状態を確認するために、基板ケースをケースホルダーから取り外すことは何回かある。このときはケースの固定部を破壊する。固定部をカバーの開放側縁部に側縁に沿って複数設けておけば、固定部の意図的な破壊作業が簡単であり、同じ基板ケース及びケースホルダーを使用して複数回の取り外し、再装着を行うことができる。
【００１９】
また、本発明の基板取付け装置は、遊技機用の制御基板を封入する角形の透明な基板ケースと、該基板ケースを遊技機内に固定するために、基板ケースが嵌合した状態で遊技機の内面に固着される角形のケースホルダーとの組合せからなる基板取付け装置であって、基板ケースがケースホルダー内に嵌合後、ケース内でケース表面に沿った方向にスライド可能に構成されると共に、スライドした状態でケースホルダーから分離不能に構成されており、基板ケースとケースホルダーの対向面のいずれか一方に、ピンホルダーにロックピンが進退可能に収容されると共に、ピンホルダーから進出方向にロックピンが付勢されたロックピンユニットを、他方の対向面の側に向けて保持するピンユニット保持部が設けられており、他方の対向面の側には、基板ケースがケースホルダー内に嵌合した状態でロックピンをピンホルダー内に押し込み、嵌合状態からスライドした状態でロックピンを突出させて基板ケースをスライド位置に固定する第２ピン操作部が設けられている基板取付け装置である。
【００２０】
本発明の基板取付け装置においては、基板ケースがケースホルダー内でスライド可能に構成されると共に、基板ケースとケースホルダーの対向面のいずれか一方にロックピンユニットが他方の対向面の側に向けて保持され、他方の対向面の側には基板ケースの嵌合、スライドに伴ってロックピンを操作する第２ピン操作部が設けられている。基板ケースがホルダー内に嵌合後、スライドすることによりホルダーに係止される。このとき、ロックピンユニットにおいては、ロックピンが第２ピン操作部によりピンホルダー内に押し込まれている。この状態から基板ケースがスライドすると、ロックピンが突出し、基板ケースをスライド位置にロックする。これにより基板ケースはケースホルダーに完全固定される。
【００２１】
基板ケースをケースホルダーに固定するロックピンは、スライド式であって、予め基板ケース及びケースホルダー内に組み込まれ、外部から差し込まれないため、ロック後に外部に露出しない。このため、従来の変形型ロックピンによる封止部と比べて、ロックピンを外部から細工することが困難である。しかも、ロックピンはスライド形式であるため、変形が困難な硬質樹脂で形成することができる。このため、基板ケースに離脱側へのスライド力が加わっても、ロックピンの変形によるスライドは生じない。このため、一旦ケースホルダーに固定された基板ケースは、第２ピン操作部の周辺を破壊してロックピンをホルダー内へ強制的に押し込まない限り、基板ケースは離脱しない。もし不正行為としてこれを行った場合は、その痕跡が基板ケース或いはケースホルダーに確実に残る。
【００２２】
本発明の基板取付け装置（請求項１）においては、遊技機用の制御基板を内側に封入する基板ケースと、該基板ケースを遊技機内に嵌合固定するために、遊技機の内面に固着されるケースホルダーとの組合せからなる基板取付け装置であって、  基板ケースがケースホルダー内に嵌合後、ケース内でケース表面に沿った方向にスライド可能に構成されると共に、スライドした状態でケースホルダーから分離不能に構成されており、基板ケースとケースホルダーの対向面のいずれか一方に、ピンホルダーにロックピンが進退可能に収容されると共に、ピンホルダーから進出方向にロックピンが付勢されたロックピンユニットを、他方の対向面の側に向けて保持するピンユニット保持部が設けられており、他方の対向面の側には、基板ケースがケースホルダー内に嵌合した状態でロックピンをピンホルダー内に押し込み、嵌合状態からスライドした状態でロックピンを突出させて基板ケースをスライド位置に固定する第２ピン操作部が設けられている。
【００２３】
本発明の基板取付け装置においては、請求項１に記載の基板取付け装置において、前記基板ケースは、正面が開放するケース本体と、ケース本体の正面開口部を密閉してケース内に制御基板を封入するカバーとを備えており、前記カバーは、ケース本体の特定の縁部にその縁部を回動支点として傾動可能に係合すると共に、支点側と反対側の開放側の縁部に設けられたロック機構により、ケース本体に開放不能に固定され、前記ロック機構は、ケース本体又はカバーの何れか一方の部材の開放側の縁部にカバーの開閉方向と交差する方向に内蔵保持され、ピンホルダーにロックピンが進退可能に収容されると共に、ピンホルダーから進出方向にロックピンが付勢されたロックピンユニットと、他方の部材の開放側の縁部に設けられたテーパー部により、カバーの閉止動作に伴ってロックピンがピンホルダー内へ押し込まれ、テーパー部の奥側に設けられた嵌合部にロックピンが突出嵌合することにより、カバーの開放側の縁部を閉止状態に固定する第１ピン操作部とを有することを特徴とする。
【発明の効果】
【００２４】
本発明の基板ケースは、ケース本体とカバーの封止にスライド付勢式のロックピンを使用し、しかもそのロックピンをカバーの開放方向と交差する方向に配置すると共に、第１ピン操作部でカバーの閉止操作に伴って操作し、閉止状態に固定するので、第１にカバーの封印操作が容易である。第２に、ロックピンがケース内に内蔵されるので、ロックピンを外部から細工することによるケースの不正開放を効果的に阻止することができる。第３に、カバーに開放方向の大きな外力が付加されても、ロックピンの変形によるケースの開放を阻止できる。したがって、ケース内の制御基板への不正改造を極めて困難にし、万一その不正改造を受けた場合はケースに明確な痕跡が残るので、ケース内の制御基板の不正改造に対するセキュリティ度を飛躍的に高めることができる。
【００２５】
また、本発明の基板取付け装置は、基板ケースをケースホルダー内でスライド可能に構成すると共に、基板ケースとケースホルダーの対向面のいずれか一方にロックピンユニットを他方の対向面の側に向けて保持し、他方の対向面の側に設けた第２ピン操作部によりスライド状態に固定して基板ケースのケースホルダーからの脱離を不能とする。ロックピンが基板ケース及びケースホルダー内に内蔵されているために、ロックピンを外部から細工することによる基板ケースの不正な取り外しを効果的に阻止し、万一不正な細工を行った場合はその痕跡が基板ケースやケースホルダーに明確に残るので、基板ケース裏面からの制御基板に対する不正行為を効果的に防止することができる。
【発明を実施するための最良の形態】
【００２６】
以下、本発明の実施形態（第一実施例及び第二実施例）を図面に基づいて詳細に説明する。
【００２７】
第一実施例：
図１〜図３は本発明の一実施形態を示す基板ケース及び基板取付け装置の斜視図、図４（ａ）（ｂ）（ｃ）は本実施形態に使用されているロックピンユニットの構造説明図、図５は本実施形態の基板ケースの組み立て手順を示す斜視図、図６は本実施形態の基板ケースの上縁部の横断平面図、図７は同基板ケースの第１ピン操作部を示す斜視図、図８（ａ）（ｂ）（ｃ）は同第１ピン操作部の動作を段階的に示す横断平面図である。なお、説明の都合上、図１２等に示した上下・左右及び正面と裏面の方向を規定する。
【００２８】
また、図９（ａ）（ｂ）は本実施形態の基板取付け装置における基板ケースのケースホルダーへの取り付け操作を示す正面図、図１０（ａ）（ｂ）は同基板取付け装置におけるケース保持機構を示す縦断側面図、図１１（ａ）（ｂ）は同基板取付け装置の第２ピン操作部の動作を段階的に示す縦断側面図である。
【００２９】
本実施形態の基板取付け装置は、図１〜図３に示すように、パチンコ機やパチスロ機の制御用主基板やサブ基板などの基板１０をその機器の垂直な内面に取付けるのに使用されるものであり、基板１０を封入する基板ケース２０と、これを遊技機の機器の垂直な内面に取付けるためのケースホルダー３０と、基板ケース２０の封止及び基板ケース２０とケースホルダー３０との連結固定に使用される複数のロックピンユニット４０とを備えている。なお、基板１０は特に重要な制御用基板であるが、回路基板を意味している。
【００３０】
本実施形態の基板ケース２０は、内部に封入する長方形の基板１０の形状に対応した横に長い長方形の薄い樹脂ケースであり、内部に封入した基板１０の様子がよくわかるように透明樹脂により形成されている。この基板ケース２０は、正面が開口し内側に基板１０を保持するケース本体２０Ａと、その正面開口部を閉止するカバー２０Ｂとからなる。
【００３１】
基板ケース２０のケース本体２０Ａは、長方形の背板とその周囲の角枠状の側壁とにより、基板１０が嵌合する横に長い長方形の基板収容部２１Ａを形成している。基板収容部２１Ａの下縁部には、カバー２０Ｂの下縁部が回動可能に係合する一対のフック部２２Ａ，２２Ａが一体的に設けられている。基板収容部２１Ａの両側部上面は、カバー２０Ｂとの固定のために上方へ凸状に突出しており、両側の突出部２３Ａ、２３Ａの各正面には、ロックピンユニット４０を保持する円筒形状のユニット保持部２４Ａがそれぞれ一体的に設けられている。両側の保持部２４Ａ，２４Ａは、ロックピンユニット４０，４０を内側或いは外側に向けた姿勢でケース上縁に沿って支持する（図ではロックピンユニット４０，４０は共に内側を向いている）。両側の突出部２３Ａ、２３Ａの間は、凹状の切欠き部２５Ａになっている。
【００３２】
ロックピンユニット４０は、図４に示すように、先端がドーム状に湾曲した砲弾形のロックピン４１と、ロックピン４１を中心軸方向にスライド自在に支持する円筒形状のピンホルダー４２と、ロックピン４１を先端側へ付勢するために、ピンホルダー４２内に圧縮状態で収容されたコイルスプリングからなるバネ４３とからなる。ロックピン４１は先端側への抜け止めがなされ、バネ４３による押圧力により、外力を受けない状態では先端側のほぼ半分をピンホルダー４２の先端側に弾性的に突出させている。バネ４３は、ピンホルダー４２内のロックピン４１の後端部とピンホルダー４２の後端部に設けられたストッパー４５との間に圧縮状態で挿入されて、ロックピン４１を先端側へ弾性的に押圧する。この状態で、ロックピン４１の先端部に形成された湾曲部に、中心軸に直角な方向から外力が付加されると、ロックピン４１はバネ４３による付勢力に抗してピンホルダー４２内に退入する。ピンホルダー４２の先端側の端部には、ユニット保持部２４Ａの端部に係合する係止用のフランジ部４４が設けられている。
【００３３】
基板ケース２０のカバー２０Ｂは、図１〜図３に示すように、ケース本体２０Ａに対応する長方形の裏面が開放した厚みが薄い箱形であり、ケース本体２０Ａの下縁部に設けられた一対のフック部２２Ａ，２２Ａに係合するフック部を下縁部に有している。ケース本体２０Ａとカバー２０Ｂのフック部同士を係合させることにより、両者は下縁部を回動支点として開閉可能にヒンジ結合される（図５参照）。カバー２０Ｂの両側部は、ケース本体２０Ａの突出部２３Ａ、２３Ａに対応して上方へ凸状に突出しており、これら両側の突出部２１Ｂ，２１Ｂの裏面側には、突出部２３Ａ、２３Ａの正面側に保持されたロックピンユニット４０，４０を操作する第１ピン操作部２２Ｂ，２２Ｂ（図６〜図８）が構成されている。第１ピン操作部２２Ｂ，２２Ｂの詳細な構成は、図６〜図８を参照して後述する。
【００３４】
両側の突出部２１Ｂ，２１Ｂの間には、当該基板ケース２０をケースホルダー３０に固定するために一体的に形成された複数の固定部２３Ｂ，２３Ｂ・・が設けられている。複数の固定部２３Ｂ，２３Ｂ・・は、突出部２１Ｂ，２１Ｂの間に複数個（ここでは４個）が横に並んで連結配置されている。個々の固定部２３Ｂは、正面側に突出する円筒形状であり（図６参照）、基板ケース２０をケースホルダー３０に固定するための別のロックピン４０を操作する第２ピン操作部２４Ｂを内側に形成している（図１１参照）。第２ピン操作部２４Ｂの構成は後の基板取付け装置の説明のところで詳しく述べる。
【００３５】
カバー２０Ｂの下縁部には、基板ケース２０内に封入された基板１０の表面に実装された複数のコネクタ１１を正面側へ露出させるために、複数の開口部２５Ｂが横に並んで設けられている。
【００３６】
カバー２０Ｂの突出部２１Ｂ、２１Ｂの裏側に形成された第１ピン操作部２２Ｂ，２２Ｂは、図６及び図７に示すように、基板ケース２０を閉じた状態でケース本体２０Ａの各保持部２４Ａを両側から挟む一対の爪部２６Ｂ，２６Ｂからなる。各爪部２６Ｂは、カバー２０Ｂの正面側から背面側へ突出しており、基板ケース２０を閉じた状態で、保持部２４Ａに保持されたロックピンユニット４０のロックピン４１が嵌合する円形の貫通孔２７Ｂを有すると共に、先端側に向かって外側へ傾斜したテーパー部２８Ｂを先端部に有する。テーパー部２８Ｂは、基板ケース２０の閉止動作に伴って、保持部２４Ａに保持されたロックピンユニット４０のロックピン４１を押し込み、貫通孔２７Ｂに誘導する（図８参照）。
【００３７】
基板ケース２０が閉じた状態で、ロックピンユニット４０のロックピン４１に対する不正操作を防止するために、第１ピン操作部２２Ｂは、箱形の突出部２１Ｂにて完全に包囲されて外部から隔離されており、なお且つ爪部２６Ｂの外側に設けられた保護板２９Ｂと組み合わされている。保護板２９Ｂは、カバー２０Ｂの正面側から背面側へ突出しており、カバー２０Ｂの破壊による外部からロックピン４１への不正操作をより困難にする。
【００３８】
基板ケース２０と共に基板取付け装置を構成するケースホルダー３０は、図１〜図３に示すように、基板ケース２０が正面側から嵌合する長方形で正面が開放した厚みの薄い外箱であり、ホルダー３０内に嵌合した基板ケース２０を下方へスライドさせるように構成されている（図９参照）。ケースホルダー３０の背板部分には、当該ホルダーを遊技機の機器内面に固定するためのネジ孔３１が４つ設けられている。また、下端部の両側には、複数のコネクター１１を覆う保護部材（図示せず）を取り付ける為の、ネジ孔つきの張出部３６，３６が設けられている。これにより、不正行為を防止できる。
【００３９】
背板の最上部には、ホルダー３０内に嵌合した基板ケース２０の下方へのスライドに伴って基板ケース２０を係止する２種類のフック３２，３３が設けられている。２種類のフック３２，３３は、ケースホルダー３０の背板から正面側へ突出し、先端部が上方へ鉤形に屈曲している。第１のフック３２は、図９及び図１０（ａ）に示すように、ケース本体２０Ａの両側の突出部２３Ａ，２３Ａ及び２１Ｂ，２１Ｂの内側に位置しており、基板ケース２０のケースホルダー３０への嵌合に伴って、カバー２０Ｂの突出部２１Ｂ，２１Ｂの内側に設けられた縦スリットに挿入され、基板ケース２０の下方へのスライドに伴ってカバー２０Ｂの縦スリット上側部分に係合し、基板ケース２０を固定する。第２のフック３３は、ケース本体２０Ａの両側の突出部２３Ａ、２３Ａの裏側に位置しており、図１０（ｂ）に示すように、第１のフック３２と同じ原理で、突出部２３Ａ、２３Ａの上面に設けられた横スリット２９Ａ，２９Ａに嵌合して、基板ケース２０のケース本体２０Ａを固定する。
【００４０】
ケースホルダー３０の最下部には、複数の第３のフック３４が横に並んで複数設けられている。第１のフック３２及び第２フック３３が基板ケース２０の上部を固定するのに対し、第３のフック３４は、第１のフック３２及び第２フック３３と同じ原理で基板ケース２０の最下部を固定する。
【００４１】
ケースホルダー３０の背板の最上部には、複数のピンユニット保持部３５，３５・・が設けられている。複数のピンユニット保持部３５，３５・・は、基板ケース２０の固定部２３Ｂ（第２ピン操作部２４Ｂ）に対応して、両側の第１のフック３２，３２の間に横に並んで設けられている。個々の保持部３５は、ケースホルダー３０の背板から正面側へ突出した円筒体であり、ロックピンユニット４０を正面に向けて脱着可能に保持する。
【００４２】
基板ケース２０のケース本体２０Ａの上縁部に前記切欠き部２５Ａが設けられているために、基板ケース２０をケースホルダー３０に嵌合させたとき、複数のピンユニット保持部３５，３５・・は、基板ケース２０のケース本体２０Ａの上縁部と干渉しない。これにより、保持部３５に保持されたロックピンユニット４０が、基板ケース２０のカバー２０Ｂの固定部２３Ｂの裏側に形成された第２ピン操作部２４Ｂにより操作される。
【００４３】
具体的には、基板ケース２０のカバー２０Ｂの裏面側に設けられたこの第２ピン操作部２４Ｂは、図１１（ａ）（ｂ）に示すように、基板ケース２０をケースホルダー３０に嵌合させた状態では、円筒状の固定部２３Ｂの下方でロックピン４１をピンホルダー４２内に押し込み、基板ケース２０の下方へのスライドを可能とする。基板ケース２０が下方へスライドしてケースホルダー３０に固定された状態では、ロックピン４１が円筒状の固定部２３Ｂ内に嵌合する。これにより、基板ケース２０は上方へのスライドを阻止され、下方のロック位置に固定される。
【００４４】
次に、本実施形態の基板ケース２０及び基板取付け装置の使用方法及び機能について説明する。
【００４５】
まず、基板ケース２０のケース本体２０Ａの基板収容部２１Ａ内に基板１０を固定する。また、上縁部両側の保持部２４Ａ，２４Ａ内にロックピンユニット４０，４０を内側に向けてセットする。以上の準備が終わると、図５に示すように、カバー２０Ｂをケース本体２０Ａに取り付ける。具体的には、ケース本体２０Ａの下縁部に形成されたフック部２２Ａ，２２Ａに、カバー２０Ｂの対応するフック部を係合させ、両者をヒンジ結合する。そして、この状態で、カバー２０Ｂの開放側である上縁部側に閉止方向の外力を加える。そうすると、この上縁部では、図８（ａ）〜（ｃ）に示すように、ケース本体２０Ａに保持されたロックピンユニット４０，４０において、カバー２０Ｂの第１ピン操作部２２Ｂ、特に爪部２６Ｂのテーパー部２８Ｂによりロックピン４１がピンホルダー４２内に押し込まれ、カバー２０Ｂが閉じる。カバー２０Ｂが完全に閉じると、ロックピン４１が爪部２６Ｂの貫通孔２７Ｂに挿入され、カバー２０Ｂが閉止状態に固定される。
【００４６】
なお、図示の都合上、図５においては、ケース本体２０Ａ内の基板１０は図示が省略されている。
【００４７】
こうして、基板ケース２０内への基板１０の封入が終わると、その基板ケース２０を、機器の垂直な内面に固定されたケースホルダー３０に固定する。これは次のような手順で行われる。
【００４８】
図２及び図３に示すように、ケースホルダー３０の上縁部に並んだ複数の保持部３５，３５・・の一つにロックピンユニット４０を正面側に向けて挿入しセットする。この状態で、図９（ａ）（ｂ）に示すように、基板ケース２０をケースホルダー３０に挿入し、下方へスライドさせる。ケースホルダー３０内での基板ケース２０の下方へのスライドにより、基板ケース２０は、ケースホルダー３０の上縁部に設けられた第１のフック３２，３２及び第２フック３３，３３により上縁部がケースホルダー３０に固定され、ケースホルダー３０の下縁部に設けられた第３のフック３４，３４により下縁部がケースホルダー３０に固定される。固定とは、基板ケース２０がケースホルダー３０から正面側へ脱離しないということである。
【００４９】
これに加え、ケースホルダー３０内で基板ケース２０が下方へスライドすると、図１１（ａ）（ｂ）に示すように、ケースホルダー３０に保持されたロックピンユニット４０のロックピン４１が、カバー２０Ｂの裏面に設けられた第２ピン操作部２４Ｂにより、ピンホルダー４２に押し込まれた状態から、円筒状の固定部２３Ｂ内に進入する。これにより、基板ケース２０の上方へのスライドが阻止され、基板ケース２０はケースホルダー３０に完全に固定される。
【００５０】
基板１０を封入した基板ケース２０においては、ロックピン４１及びピンホルダー４２は、スライド式であって変形の必要がないので、硬質樹脂により形成できる。しかも、ロックピン４１はカバー２０Ｂの開放方向に直角な方向を向いている。このため、カバー２０Ｂに開放方向の大きな外力が付加されても、ロックピン４１が変形してカバー２０Ｂが開くという事態は回避される。また、ロックピンユニット４０は、基板ケース２０の上縁部内に完全に封入されている。このため、ロックピンユニット４０を外部から破壊することもできない。
【００５１】
すなわち、基板ケース２０内に基板１０が一旦、封入されると、ロックピンユニット４０，４０の近傍部分において、基板ケース２０を大きく破壊しない限り、基板ケース２０を開放することは不可能である。そして、基板ケース２０を大きく破壊した場合は、その痕跡が基板ケース２０に明確に残ることになる。また、ロックピンユニット４０の前方（爪部２６Ｂの外側）を保護板２９Ｂで補強しているので、ロックピン４１を操作するような基板ケース２０の破壊も、より困難である。
【００５２】
同様に、基板ケース２０とケースホルダー３０の固定にも、両者内に封入された前記ロックピンユニット４０を使用しているので、基板ケース２０やケースホルダー３０の破壊を伴わない、ロックピン４１の外部からの破壊は不可能である。つまり、このときも、破壊の痕跡が基板ケース２０やケースホルダー３０に明確に残る。
【００５３】
一方、遊技機の製作時に機器内に取付けられた基板１０に対して、後日、警察等による検査が行われる。このときは、基板ケース２０の裏面側から基板１０の裏面をチェックするために、基板ケース２０をケースホルダー３０から意図的に取り外す必要がある。そのときは円筒状の固定部２３Ｂの先端閉塞部を切除する。そうすれば、ロックピン４１を押し込むことができ、基板ケース２０を上方へスライドさせることが可能となる。そして、このスライドを行えば、基板ケース２０はケースホルダー３０から容易に取り外すことができる。
【００５４】
検査後、基板ケース２０をケースホルダー３０に再度セットするときは、ケースホルダー３０の上縁部に並んだ複数の保持部３５，３５・・の別の一つにロックピンユニット４０を正面側に向けてセットし、同様のことを行う。本実施形態では、保持部３５及びこれに対応する第２ピン操作部２４Ｂ及び固定部２３Ｂが４セット設けられているので、３回の基板ケース２０の取り外しに対応することができる。
【００５５】
このように、本実施形態の基板ケース２０及び基板取付け装置は、不正行為を行った場合、基板ケース２０又はケースホルダー３０若しくはそれらの両方に明確な痕跡が残る。ロックピンの変形による基板ケース２０の開放等は起こし得ない。その一方で、基板ケース２０のケースホルダー３０からの意図的な取り外しは非常に容易である。また、基板ケース２０のケースホルダー３０への再装着も容易である。
【００５６】
第二実施例：
本発明の他の実施形態（第一実施例の改良）を、第一実施例で使用した図１〜図１１に対応する図１２〜図２２及び追加図面を用いて詳細に説明する。なお、第一実施例で既に説明した同一又は類似構成について、重複する部分を省略する場合もある。また、説明の都合上、図面中に示した上下・左右及び正面と裏面の方向を規定する。他の図面においても、基本的に同じ方向を用いて説明する。
【００５７】
本実施形態の基板取付け装置は、図１２〜図１４に示すように、遊技機（パチンコ機又はパチスロ機等）の制御用主基板やサブ基板など不正行為を受けやすい基板１０を、その機器の垂直な内面（例えば、背面又は側面）に取付けるのに使用される。
【００５８】
この基板取付け装置は、遊技機内面に直接取付けるケースホルダー３０と、基板１０を封入する基板ケース２０と、基板ケース２０の封止及び基板ケース２０とケースホルダー３０との連結固定に使用される複数のロックピンユニット４０とを備えている。なお、このロックピンユニット４０は、同じものであり、封止及び連結固定に共用できる構造となっている。
【００５９】
本実施形態の基板ケース２０は、内部に封入する基板１０の形状（この場合、長方形）に対応した横に長い長方形の薄い樹脂ケースであり、基板１０の様子がよくわかるように透明樹脂により形成されている。この基板ケース２０は、正面側が開口（正面開口部）したケース本体２０Ａと、その正面開口部の全体を覆って閉止（又は、蓋を）するカバー２０Ｂとからなる（特に、図１４参照）。
【００６０】
ケース本体２０Ａの外形は、略凹字状の背板にその周囲を囲む外枠が付いたもので、結果的に正面が開口した凹盆状となっている。別の言い方をすれば、ケース本体２０Ａは、長方形の背板とその周囲を囲う角枠状の側壁とにより、基板１０を封入する横に長い長方形盆状の基板収容部２１Ａと、上側壁上面の左右両側に凸状に突出した突出部２３Ａ、２３Ａを有している。
【００６１】
この２つの突出部２３Ａも、それぞれ背板と角枠状の側壁とを有しており、基板収容部２１Ａと同様に長方形盆状となっている。つまり、ケース本体２０Ａは、長方形盆状の基板収容部２１Ａと、その上側壁の上面左右両端に長方形盆状の突出部２３Ａが二つ一体的に設けられて、結果的に正面が開口した外形が凹形の盆状となっている。
【００６２】
両側の突出部２３Ａ、２３Ａの各正面側には、ロックピンユニット４０を保持する円筒形状のユニット保持部２４Ａがそれぞれ一体的に設けられている。両側の保持部２４Ａ，２４Ａは、ロックピンユニット４０，４０を内側或いは外側に向けた姿勢でケース上縁に沿って保持する（図ではロックピンユニット４０，４０は共に内側を向いている）。また、両側の突出部２３Ａ、２３Ａの間は、凹状の切欠き部２５Ａ（特に、図１６参照）になっている。
【００６３】
ケース本体２０Ａには、基板収容部２１Ａの下側壁下面から下方向に延びるフック部２２Ａ，２２Ａが一体的に設けられており、後述するカバー２０Ｂの下縁部が回動可能に係合する。例えば、フック部２２Ａは、ケース本体２０Ａの下縁部にフック穴が、及びカバー２０Ｂの下縁部にフック爪が形成されている。なお、その位置構成は、逆になっていてもよい（すなわち、ケース本体２０Ａにフック爪、カバー２０Ｂにフック穴）。
【００６４】
ロックピンユニット４０は、図１５に示すように、先端がドーム状に湾曲した砲弾形のロックピン４１と、ロックピン４１を中心軸方向にスライド自在に支持する円筒形状のピンホルダー４２と、ロックピン４１を先端側へ付勢するために、ピンホルダー４２内に圧縮状態で収容されたコイルスプリングからなるバネ４３とからなる。ロックピン４１は先端側への抜け止めがなされ、バネ４３による押圧力により、外力を受けない状態では全長のほぼ半分をピンホルダー４２の先端側に弾性的に突出させている。
【００６５】
バネ４３は、ピンホルダー４２の後端部（底面）のストッパー４５とピンホルダー４２内のロックピン４１との間に圧縮状態で挿入されて、ロックピン４１を先端側へ弾性的に押圧する。この状態で、ロックピン４１の先端部に形成された湾曲部に、中心軸に直角な方向から外力が付加されると、ロックピン４１はバネ４３による付勢力に抗してピンホルダー４２内に退入する。ピンホルダー４２の先端側の端部には、ユニット保持部２４Ａの端部に係合する係止用のフランジ部４４が設けられている。
【００６６】
基板ケース２０のカバー２０Ｂは、図１２〜図１４に示すように、凹形盆状のケース本体２０Ａを完全に覆う、裏面が開口（開放）した比較的厚みが薄い長方形の箱形であり、複数のコネクタ１１を嵌合して正面側へ露出させる開口部２５Ｂが複数設けられた前板にその周囲を囲む四角形の外枠が付いたもので、裏面が開口した箱蓋状となっている。別の言い方をすれば、カバー２０Ｂは、コネクタ１１が嵌合する開口部２５Ｂが複数設けられた長方形の前板とその周囲を囲う角枠状の側壁とにより、基板１０を封入する横に長い長方形箱蓋状の基板収容部２０Ｃ（図１４参照）と、上側壁の上面に横幅が同じ長さで裏面が開口した箱蓋状の取付部２１Ｃ（図１４参照）が一体的に設けられている。なお、取付部２１Ｃは、後述する左右両側の突出部２１Ｂ及びその間の固定部２３Ｂ，２３Ｂからなる。なお、必要に応じて開口部２５Ｂを自由に設けることができる。
【００６７】
カバー２０Ｂの下側壁の下面には、上述したフック部２２Ａ，２２Ａに回動可能に係合するカバーフック部（図示せず）が形成されている。例えば、このカバーフック部は、カバー２０Ｂの下縁部に形成されたフック爪であり、ケース本体２０Ａ下縁部のフック穴２２Ａに係合する。ケース本体２０Ａとカバー２０Ｂのフック部同士を係合させることにより、両者は下縁部を回動支点として開閉可能にヒンジ結合される（図１６参照）。
【００６８】
カバー２０Ｂの前板の裏面四つ角内側近辺には、裏面方向に円柱状のボスが４本立設されており、このボスによって基板収容部２０Ｃ内に位置決めされた基板１０が、ボス上端に形成されたネジ穴によってビス止め固定される。つまり、基板１０とカバー２０Ｂが先に位置決め固定されるので、コネクタ１１と開口部２５Ｂを隙間なく嵌合可能であり、後は組み立てたカバー２０Ｂをケース本体２０Ａに系合回動させるだけなので、正確な位置決めが不要となり、基板ケース２０の組み立てそのものが容易になる。
【００６９】
カバー２０Ｂの両側部は、部分的にみると、ケース本体２０Ａの突出部２３Ａ、２３Ａに対応して上方へ凸状に突出している。つまり、取付部２１Ｃから固定部２３Ｂを無くした状態では、基板収容部２０Ｃとその上側壁左右の突出部２１Ｂ，２１Ｂだけになり、ケース本体２０Ａと外形が同じ凹形で、裏面が開口した箱蓋状となる。ただし、カバー２０Ｂは一体成型されているので、取付部２１Ｃから固定部２３Ｂを無くした状態にすることはできない。
【００７０】
これら両側の突出部２１Ｂ，２１Ｂの裏面側には、突出部２３Ａ、２３Ａの正面側に保持されたロックピンユニット４０，４０を操作する（ロックピン４１を退進出させる操作をする）第１ピン操作部２２Ｂ，２２Ｂ（図１７〜図１９）が形成されている。第１ピン操作部２２Ｂ，２２Ｂの詳細な構成は、図１７〜図１９を用いて後述する。
【００７１】
両側の突出部２１Ｂ，２１Ｂの間には、当該基板ケース２０をケースホルダー３０に固定するために一体的に形成された複数の固定部２３Ｂ，２３Ｂ・・が設けられている。複数の固定部２３Ｂ，２３Ｂ・・は、突出部２１Ｂ，２１Ｂの間に複数個（ここでは４個）が横に並んで連結配置されている。個々の固定部２３Ｂは、正面側に突出する円筒形状であり（図１７参照）、基板ケース２０をケースホルダー３０に固定するための別のロックピン４０を操作（ロックピン４１を退進出させる操作）する第２ピン操作部２４Ｂを内側に形成している（図２２参照）。第２ピン操作部２４Ｂの構成は後の基板取付け装置の説明のところで詳しく述べる。なお、これらの図では、個々の固定部２３Ｂが正面側に突出する円筒形状としているが、それを樹脂で埋めて、カバー２０Ｂの前板と同じ高さとしてもよい。また、個々の固定部２３Ｂには破壊工具を挿入する工具穴２３Ｃ（縦３ｍｍ×横１０ｍｍ×深さ１０ｍｍ程度。図２０（ｂ）参照）が形成されており、ドライバーの先などを工具穴に突っ込み、力を入れて上下にこねるように折り曲げると１つの固定部２３Ｂだけが破壊される。その結果、ロックピンユニット４０による固定が解除されるので、基板ケース２０を上にスライドさせてケースホルダー３０から取り出すことが可能となる。
【００７２】
同様に、個々の（図では、４つの）第１ピン操作部２２Ｂにも工具穴２６Ｃ（縦１０ｍｍ×横３ｍｍ×深さ１０ｍｍ程度。図１９（ｃ）及び図２０（ｂ）参照）が形成されており、左右に折り曲げると１つの第１ピン操作部２２Ｂだけを破壊することができる。その結果、ロックピンユニット４０による固定が解除されるので、ケースホルダー３０から取り出された基板ケース２０を開いて、制御基板１０を再び取り出すことが可能となる（図１６参照）。なお、工具穴２３Ｃと工具穴２６Ｃは、図１９（ｃ）及び図２０（ｂ）に代表して記載したものであり、他図に記載がなくても全て同じ構造である。
【００７３】
カバー２０Ｂの突出部２１Ｂ、２１Ｂの裏側に形成された第１ピン操作部２２Ｂ，２２Ｂは、図１７及び図１８に示すように、基板ケース２０を閉じた状態でケース本体２０Ａの各保持部２４Ａを両側から挟む一対の爪部２６Ｂ，２６Ｂからなる。各爪部２６Ｂは、カバー２０Ｂの正面側から背面側へ突出しており、基板ケース２０を閉じた状態で、保持部２４Ａに保持されたロックピンユニット４０のロックピン４１が嵌合する円形の貫通孔２７Ｂを有すると共に、先端側に向かって外側へ傾斜したテーパー部２８Ｂを先端部に有する。テーパー部２８Ｂは、基板ケース２０の閉止動作に伴って、保持部２４Ａに保持されたロックピンユニット４０のロックピン４１を押し込み、貫通孔２７Ｂに誘導する（図１９参照）。なお、図１９（Ｃ）にのみ記載しているが、全ての爪部２６Ｂに工具穴２６Ｃが形成されており、その深さは貫通孔２７Ｂの上までとなっているので、押し込まれたロックピン４１を外部から操作してロック解除させることはできない。これにより、不正行為を防止でき、且つ爪部２６Ｂが破壊された場合には、その痕跡が残るようになっているので、一目で不正行為があったことを判別できる。
【００７４】
また、基板ケース２０が閉じた状態で、ロックピンユニット４０のロックピン４１に対する不正操作を防止するために、第１ピン操作部２２Ｂは、箱形の突出部２１Ｂにて完全に包囲されて外部から隔離されており、なお且つ爪部２６Ｂの外側に設けられた保護板２９Ｂと組み合わされている。保護板２９Ｂは、カバー２０Ｂの正面側から背面側へ突出しており、カバー２０Ｂの破壊による外部からロックピン４１への不正操作をより困難にする。つまり、図１９（Ｃ）の左側壁よりドリルで穴を開けようとしても、保護板２９Ｂが邪魔をし、且つ穴が開けられたらその痕跡が残るようになっている。
【００７５】
基板ケース２０と共に基板取付け装置を構成するケースホルダー３０は、図１２〜図１４に示すように、基板ケース２０が正面側から嵌合する長方形で正面が開放した厚みの薄い外箱であり、ホルダー３０内に嵌合した基板ケース２０を下方へスライドさせるように構成されている（図２０参照）。ケースホルダー３０の背板３８の中央部分には、当該ホルダーを遊技機の機器内面に固定するためのネジ孔３１が４つ設けられている。また、下端部の両側には、複数のコネクター１１を覆う保護部材（図示せず）を取り付ける為の、ネジ孔つきの張出部３６，３６が設けられている。これにより、不正行為を防止できる。
【００７６】
背板３８の最上部には、ホルダー３０内に嵌合した基板ケース２０の下方へのスライドに伴って基板ケース２０を係止する２種類のフック３２，３３が設けられている。なお、基板ケース２０が完全に下方へスライドした状態では、ケースホルダー３０を遊技機内面に固定したネジは隠されるので、ケースホルダー３０を取り外すことが不能になる。
【００７７】
２種類のフック３２，３３は、ケースホルダー３０の背板３８から正面側へ突出し、先端部が上方へ鉤形に屈曲している（つまり、Ｌ字状フックである）。第１のフック３２は、図２０及び図２１（ａ）に示すように、ケース本体２０Ａの両側の突出部２３Ａ，２３Ａ及び２１Ｂ，２１Ｂの内側に位置しており、基板ケース２０のケースホルダー３０への嵌合に伴って、カバー２０Ｂの突出部２１Ｂ，２１Ｂの内側に設けられた縦スリットに挿入され、基板ケース２０の下方へのスライドに伴ってカバー２０Ｂの縦スリット上側部分に係合し、基板ケース２０を固定する。第２のフック３３は、ケース本体２０Ａの両側の突出部２３Ａ、２３Ａの裏側に位置しており、図２１（ｂ）に示すように、第１のフック３２と同じ原理で、突出部２３Ａ、２３Ａの上面に設けられた横スリット２９Ａ，２９Ａに嵌合して、基板ケース２０のケース本体２０Ａを固定する。
【００７８】
ケースホルダー３０の最下部には、複数の第３のフック３４が横に並んで複数設けられている。第１のフック３２及び第２フック３３が基板ケース２０の上部を固定するのに対し、第３のフック３４は、基板ケース２０の最下部を挟み込んで固定する。つまり、第１のフック３２及び第２フック３３及び第３のフック３４により、基板ケース２０は上下にスライド可能であるが、ケースホルダー３０の正面側への離脱はできない。また、後述するように、ピンユニット保持部３５が保持するロックピンユニット４０によって、基板ケース２０は上下にスライドもできなくなる。
【００７９】
ケースホルダー３０の背板３８の最上部には、複数のピンユニット保持部３５，３５…が設けられている。このピンユニット保持部３５，３５…は、基板ケース２０の固定部２３Ｂ（第２ピン操作部２４Ｂ）に対応して、両側の第１のフック３２，３２の間に横に並んで設けられている。個々のピンユニット保持部３５は、ケースホルダー３０の背板３８から正面側へ突出した円筒体であり、ロックピンユニット４０を正面に向けて脱着可能に保持する。
【００８０】
基板ケース２０のケース本体２０Ａの上縁部（つまり、突出部２３Ａ、２３Ａの間）に前記切欠き部２５Ａが設けられているために、基板ケース２０をケースホルダー３０に嵌合させたとき、複数のピンユニット保持部３５，３５…は、基板ケース２０のケース本体２０Ａの上縁部（つまり、取付部２１Ｃから固定部２３Ｂ）と干渉しない。これにより、保持部３５に保持されたロックピンユニット４０が、上から下へのスライドに伴って、基板ケース２０のカバー２０Ｂの固定部２３Ｂの裏側に形成された第２ピン操作部２４Ｂにより操作される。
【００８１】
具体的には、基板ケース２０のカバー２０Ｂの裏面側に設けられたこの第２ピン操作部２４Ｂは、図２２（ａ）（ｂ）に示すように、基板ケース２０をケースホルダー３０に嵌合させた状態では、円筒状の固定部２３Ｂの下方でロックピン４１をピンホルダー４２内に押し込み、基板ケース２０の下方へのスライドを可能とする。また、基板ケース２０が下方へ完全にスライドした状態では、ロックピン４１が円筒状の固定部２３Ｂ内に嵌合してケースホルダー３０に固定される。これにより、基板ケース２０は上方へのスライドを阻止され、下方のロック位置に固定される。
【００８２】
次に、本実施形態の基板ケース２０及び基板取付け装置の使用方法及び機能について説明する。
【００８３】
まず、基板ケース２０を構成するカバー２０Ｂの円柱状のボスにより基板１０を基板収容部２０Ｃに位置決めし、コネクタ１１と開口部２５Ｂを嵌合させてビス止め固定する。また、ケース本体２０Ａの突出部２３Ａ（上縁部両側）に形成された保持部２４Ａ，２４Ａ内にロックピンユニット４０，４０をそれぞれ外側に向けてセットする。これは基板ケース２０の左右両側を確実に封止するためである。なお、図１４に示した通り、ロックピンユニット４０，４０の取り付け方向は、内側であっても何ら問題ない。
【００８４】
以上の準備が完了すると、図１６に示すように、カバー２０Ｂをケース本体２０Ａに取り付ける。具体的には、ケース本体２０Ａの下縁部に形成されたフック部２２Ａ，２２Ａに、それらに対応するカバー２０Ｂのフック部を係合させ、両者をヒンジ結合する（例えば、ケース本体２０Ａ下縁部に形成されたフック穴に、カバー２０Ｂ下縁部のフック爪を係合させる）。そして、この状態で、カバー２０Ｂの開放側である上縁部に閉止方向（図１６では、時計回り）の外力を加えて、カバー２０Ｂとケース本体２０Ａを閉じる。そうすると、この上縁部では、図１９（ａ）〜（ｃ）に示すように、ケース本体２０Ａに保持されたロックピンユニット４０，４０において、カバー２０Ｂの第１ピン操作部２２Ｂ、特に爪部２６Ｂのテーパー部２８Ｂによりロックピン４１がピンホルダー４２内に押し込まれ、カバー２０Ｂが閉じる。カバー２０Ｂが完全に閉じると、ロックピン４１が爪部２６Ｂの貫通孔２７Ｂに挿入され、カバー２０Ｂが閉止状態に固定される。なお、図１６においては、基板１０はカバー２０Ｂ内に固定されている。
【００８５】
こうして、基板ケース２０内（ケース本体２０Ａ及びカバー２０Ｂで形成される封入空間内）への基板１０の封入が終わると、その基板ケース２０を、機器の垂直な内面にネジ孔３１を通してビス止め固定されたケースホルダー３０に取り付ける。これは次のような手順で行われる。
【００８６】
図１３及び図１４に示すように、ケースホルダー３０の上縁部に並んだ複数の保持部３５，３５…の一つにロックピンユニット４０を正面側に向けて挿入しセットする（特に、図１３のロックピンユニット４０参照）。この状態で、図２０（ａ）（ｂ）に示すように、基板ケース２０をケースホルダー３０に挿入し（図２０（ａ）参照）、下方へスライドさせる（図２０（ｂ）参照）。ケースホルダー３０内での基板ケース２０の下方へのスライドにより、基板ケース２０は、ケースホルダー３０の上縁部に設けられた第１のフック３２，３２及び第２フック３３，３３により上縁部がケースホルダー３０に固定され、ケースホルダー３０の下縁部に設けられた第３のフック３４，３４により下縁部がケースホルダー３０に固定される。固定とは、基板ケース２０がケースホルダー３０から正面側へ脱離しないということである。
【００８７】
これに加え、ケースホルダー３０内で基板ケース２０が下方へスライドすると、図２２（ａ）（ｂ）に示すように、ケースホルダー３０に保持されたロックピンユニット４０のロックピン４１が、カバー２０Ｂの裏面に設けられた第２ピン操作部２４Ｂにより、ピンホルダー４２に押し込まれた状態（図２２（ａ）参照）から、円筒状の固定部２３Ｂ内に進入する（図２２（ｂ）参照）。これにより、基板ケース２０の上方へのスライド移動が阻止され、基板ケース２０はケースホルダー３０に完全に固定される。
【００８８】
基板１０を封入した基板ケース２０においては、ロックピン４１及びピンホルダー４２は、前後に移動するスライド式であって変形の必要がないので、硬質樹脂により形成できる。しかも、ロックピン４１はカバー２０Ｂの開放方向に直角な方向を向いている。このため、カバー２０Ｂに開放方向の大きな外力が付加されても、ロックピン４１が変形してカバー２０Ｂが開くという事態は回避される。また、ロックピンユニット４０は、基板ケース２０の上縁部内に完全に封入されている。このため、ロックピンユニット４０を外部から破壊することもできない。
【００８９】
すなわち、基板ケース２０内に基板１０が封入され、一旦基板ケース２０がロックされると、ロックピンユニット４０，４０の近傍部分において、基板ケース２０を大きく破壊しない限り、基板ケース２０を開放することは不可能である。そして、基板ケース２０を大きく破壊した場合は、その痕跡が基板ケース２０に明確に残ることになる（つまり、基板ケース２０を開封すると、第１ピン操作部ブロック全体を破壊した痕跡が必ず残る）。また、ロックピンユニット４０の前方（爪部２６Ｂの外側）を保護板２９Ｂで補強しているので、ロックピン４１を外部操作するための基板ケース２０の破壊も、より困難である。
【００９０】
同様に、基板ケース２０とケースホルダー３０の固定にも、両者内に封入された同じロックピンユニット４０を使用しているので、基板ケース２０やケースホルダー３０の破壊を伴わない、ロックピン４１の外部からの取り外しは不可能である。つまり、この時も、破壊の痕跡が基板ケース２０やケースホルダー３０に明確に残る。
【００９１】
一方、遊技機の製作時に機器内に取付けられた基板１０に対して、後日、警察等による検査が行われる。このときは、基板ケース２０の裏面側から基板１０の裏面をチェック（目視確認）するために、基板ケース２０をケースホルダー３０から意図的に取り外す必要がある。そのときは円筒状の固定部２３Ｂの先端閉塞部を切除する（又は、上述した工具穴２３Ｃによる破壊方法によって、固定部２３Ｂを含む１つの固定ブロックだけを破壊する）。そうすれば、ロックピン４１を押し込むことができ（又は、ロックが解除されることにより）、基板ケース２０を上方へスライドさせることが可能となる。そして、このスライドを行えば、基板ケース２０はケースホルダー３０から容易に取り外すことができる。
【００９２】
検査後、基板ケース２０をケースホルダー３０に再度セットするときは、ケースホルダー３０の上縁部に並んだ複数の保持部３５，３５…の別の一つにロックピンユニット４０を正面側に向けてセットし、同様のことを行う。本実施形態では、保持部３５及びこれに対応する第２ピン操作部２４Ｂ及び固定部２３Ｂが４セット設けられているので、３回の基板ケース２０の取り外しに対応することができる。
【００９３】
このように、本実施形態の基板ケース２０及び基板取付け装置は、不正行為を行った場合、基板ケース２０又はケースホルダー３０若しくはそれらの両方に明確な痕跡が残る。ロックピンの変形による基板ケース２０の開放等は起こし得ない。その一方で、基板ケース２０のケースホルダー３０からの意図的な取り外しは非常に容易である。また、基板ケース２０のケースホルダー３０への再装着も容易である。
【００９４】
本発明の遊技機等の特徴的構成要件：
（１）ケース本体とカバーとが嵌合することにより形成される箱状の内部空間内に、遊技機用の回路基板を封入する基板ケースを有する。
【００９５】
（２）基板ケースは、背板とその周囲の側壁によって箱状となるケース本体とカバーの上側壁上面の両側には、対応位置にそれぞれ突出部が形成されている。
【００９６】
（３）基板ケースは、ケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定される。
【００９７】
（４）ケース本体の突出部の間にはケース本体切欠き部が形成されている。
【００９８】
（５）カバーの突出部の間には、基板ケースをケースホルダーに固定するための固定部が設けられている。
【００９９】
（６）固定部は、ケース本体切欠き部を通して、基板ケースをケースホルダーに固定する。
【０１００】
（７）固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定される。
【０１０１】
（８）カバーの突出部の間に設けられた固定部には、固定部を破壊するための工具穴が形成されている。
【０１０２】
（９）第１ピン操作部には、１つの第１ピン操作部を破壊するための工具穴が形成されている。
【０１０３】
（１０）保持部は、ロックピンユニットを内向きと外向きの２つの方向に保持する。
【０１０４】
（１１）爪部の外側に設けられた保護板が設けられ、ロックピンへの不正操作をより困難にしている。
【図面の簡単な説明】
【０１０５】
【図１】本発明の一実施形態を示す基板ケース及びその取付け装置の全体構造を示す斜視図である。
【図２】同じく本実施形態の基板ケース及びその取付け装置の全体構造を示す斜視図である。
【図３】同じく本実施形態の基板ケース及びその取付け装置の全体構造を示す斜視図である。
【図４】（ａ）（ｂ）（ｃ）は本実施形態に使用されているロックピンユニットの構造説明図である。
【図５】本実施形態の基板ケースの組み立て手順を示す斜視図である。
【図６】本実施形態の基板ケースの上縁部の横断平面図である。
【図７】同基板ケースの第１ピン操作部を示す斜視図である。
【図８】（ａ）（ｂ）（ｃ）は同第１ピン操作部の動作を段階的に示す横断平面図である。
【図９】（ａ）（ｂ）は本実施形態の基板取付け装置における基板ケースのケースホルダーへの取り付け操作を示す正面図である。
【図１０】（ａ）（ｂ）は同基板取付け装置におけるケース保持機構を示す縦断側面図である。
【図１１】（ａ）（ｂ）は同基板取付け装置の第２ピン操作部の動作を段階的に示す縦断側面図である。
【図１２】本発明の一実施形態を示す基板ケース及びその取付け装置の全体構造を示す斜視図である。
【図１３】同じく本実施形態の基板ケース及びその取付け装置の全体構造を示す斜視図である。
【図１４】同じく本実施形態の基板ケース及びその取付け装置の全体構造を示す斜視図である。
【図１５】（ａ）（ｂ）（ｃ）は本実施形態に使用されているロックピンユニットの構造説明図である。
【図１６】本実施形態の基板ケースの組み立て手順を示す斜視図である。
【図１７】本実施形態の基板ケースの上縁部の横断平面図である。
【図１８】同基板ケースの第１ピン操作部を示す斜視図である。
【図１９】（ａ）（ｂ）（ｃ）は同第１ピン操作部の動作を段階的に示す横断平面図である。
【図２０】（ａ）（ｂ）は本実施形態の基板取付け装置における基板ケースのケースホルダーへの取り付け操作を示す正面図である。
【図２１】（ａ）（ｂ）は同基板取付け装置におけるケース保持機構を示す縦断側面図である。
【図２２】（ａ）（ｂ）は同基板取付け装置の第２ピン操作部の動作を段階的に示す縦断側面図である。
【符号の説明】
【０１０６】
１０  制御基板
２０  基板ケース
２０Ａ  ケース本体
２１Ａ  基板収容部
２２Ａ  フック部
２３Ａ  突出部
２４Ａ  ピンユニット保持部
２５Ａ  切欠き部
２０Ｂ  カバー
２１Ｂ  突出部
２２Ｂ  第１ピン操作部
２３Ｂ  固定部
２４Ｂ  第２ピン操作部
２５Ｂ  開口部
２６Ｂ  爪部
２７Ｂ  貫通孔（嵌合部）
２８Ｂ  テーパー部
２９Ｂ  保護板
３０  ケースホルダー
３１  ネジ孔
３２，３３，３４  フック
３５  ピンユニット保持部
３６  張出部
４０  ロックピンユニット
４１  ロックピン
４２  ピンホルダー
４３  バネ
４４  フランジ部
【図１】
2010088465.tif 000003
【図２】
2010088465.tif 000004
【図３】
2010088465.tif 000005
【図４】
2010088465.tif 000006
【図５】
2010088465.tif 000007
【図６】
2010088465.tif 000008
【図７】
2010088465.tif 000009
【図８】
2010088465.tif 000010
【図９】
2010088465.tif 000011
【図１０】
2010088465.tif 000012
【図１１】
2010088465.tif 000013
【図１２】
2010088465.tif 000014
【図１３】
2010088465.tif 000015
【図１４】
2010088465.tif 000016
【図１５】
2010088465.tif 000017
【図１６】
2010088465.tif 000018
【図１７】
2010088465.tif 000019
【図１８】
2010088465.tif 000020
【図１９】
2010088465.tif 000021
【図２０】
2010088465.tif 000022
【図２１】
2010088465.tif 000023
【図２２】
2010088465.tif 000024
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
ケース本体とカバーとが嵌合することにより形成される箱状の内部空間内に、遊技機用の回路基板を封入する基板ケースであって、
背板とその周囲の上下・左右の側壁によって箱状となるケース本体とカバーの上側壁の上面の両側には、対応位置にそれぞれ突出部が形成されており、
下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする基板ケース。
【請求項２】
請求項１に記載の基板ケースにおいて、
固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定されること、
を特徴とする基板ケース。
【請求項３】
請求項１又は請求項２に記載の基板ケースにおいて、
カバーの突出部の間に設けられた固定部には、固定部を破壊するための工具穴が形成されていること、
を特徴とする基板ケース。
【請求項４】
請求項１又は請求項２に記載の基板ケースにおいて、
第１ピン操作部には、第１ピン操作部を破壊するための工具穴が形成されていること、
を特徴とする基板ケース。
【請求項５】
機内に固定されたケースホルダーに基板ケースを保持する遊技機において、
基板ケースは、ケース本体とカバーとが嵌合することにより形成される箱状の内部空間内に遊技機用の回路基板を封入すると共に、背板とその周囲の上下・左右の側壁によって箱状となるケース本体とカバーの上側壁の上面の両側には、対応位置にそれぞれ突出部が形成されており、
下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする遊技機。
【手続補正２】
【補正対象書類名】明細書
【補正対象項目名】００１４
【補正方法】変更
【補正の内容】
【００１４】
上記目的を達成するために、請求項１に係る本発明の基板ケースは、ケース本体とカバーとが嵌合することにより形成される箱状の内部空間内に、遊技機用の回路基板を封入する基板ケースであって、背板とその周囲の上下・左右の側壁によって箱状となるケース本体とカバーの上側壁の上面の両側には、対応位置にそれぞれ突出部が形成されており、下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、ケース本体の突出部の間にはケース本体切欠き部が形成され、カバーの突出部の間には、基板ケースをケースホルダーに固定するための固定部が設けられており、固定部は、ケース本体切欠き部を通して、基板ケースをケースホルダーに固定することを特徴とする。
請求項２に係る本発明の基板ケースは、請求項１に記載の基板ケースにおいて、固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定されることを特徴とする。
請求項３に係る本発明の基板ケースは、請求項１又は請求項２に記載の基板ケースにおいて、カバーの突出部の間に設けられた固定部には、固定部を破壊するための工具穴が形成されていることを特徴とする。
請求項４に係る本発明の基板ケースは、請求項１又は請求項２に記載の基板ケースにおいて、第１ピン操作部には、第１ピン操作部を破壊するための工具穴が形成されていることを特徴とする。
請求項５に係る本発明の遊技機は、機内に固定されたケースホルダーに基板ケースを保持する遊技機において、基板ケースは、ケース本体とカバーとが嵌合することにより形成される箱状の内部空間内に遊技機用の回路基板を封入すると共に、背板とその周囲の上下・左右の側壁によって箱状となるケース本体とカバーの上側壁の上面の両側には、対応位置にそれぞれ突出部が形成されており、下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、ケース本体の突出部の間にはケース本体切欠き部が形成され、
カバーの突出部の間には、基板ケースをケースホルダーに固定するための固定部が設けられており、固定部は、ケース本体切欠き部を通して、基板ケースをケースホルダーに固定することを特徴とする。
本発明の基板ケースは、遊技機用の制御基板を封入する基板ケースであって、正面が開放し内側に制御基板を保持するケース本体と、ケース本体の正面開口部を密閉してケース内に制御基板を封入するカバーと備えており、前記カバーは、ケース本体の特定の縁部にその縁部を回動支点として傾動可能に係合すると共に、支点側と反対側の開放側の縁部に設けられたロック機構により、ケース本体に開放不能に固定され、前記ロック機構は、ケース本体又はカバーの何れか一方の部材の開放側の縁部にカバーの開閉方向と交差する方向に内蔵保持され、ピンホルダーにロックピンが進退可能に収容されると共に、ピンホルダーから進出方向にロックピンが付勢されたロックピンユニットと、他方の部材の開放側の縁部に設けられたテーパー部により、カバーの閉止動作に伴ってロックピンがピンホルダー内へ押し込まれ、テーパー部の奥側に設けられた嵌合部にロックピンが突出嵌合することにより、カバーの開放側の縁部を閉止状態に固定する第１ピン操作部とを有する構成である。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
ケース本体とカバーとが嵌合することにより形成される箱状の内部空間内に、遊技機用の回路基板を封入する基板ケースであって、
背板とその周囲の上下・左右の側壁によって箱状となるケース本体とカバーの上側壁の上面の両側には、対応位置にそれぞれ突出部が形成されており、
該突出部の一方には、ロックピンユニットを内向きと外向きの２つの方向に保持する保持部が設けられ、
該突出部の他方には、ロックピンユニットのロックピンが嵌合する嵌合孔を有し、保持部を両側から挟む一対の爪部からなる第１ピン操作部が設けられ、
下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする基板ケース。
【請求項２】
請求項１に記載の基板ケースにおいて、
固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定されること、
を特徴とする基板ケース。
【請求項３】
機内に固定されたケースホルダーに基板ケースを保持する遊技機において、
基板ケースは、ケース本体とカバーとが嵌合することにより形成される箱状の内部空間内に遊技機用の回路基板を封入すると共に、背板とその周囲の上下・左右の側壁によって箱状となるケース本体とカバーの上側壁の上面の両側には、対応位置にそれぞれ突出部が形成されており、
該突出部の一方には、ロックピンユニットを内向きと外向きの２つの方向に保持する保持部が設けられ、
該突出部の他方には、ロックピンユニットのロックピンが嵌合する嵌合孔を有し、保持部を両側から挟む一対の爪部からなる第１ピン操作部が設けられ、
下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、
ケース本体の突出部の間にはケース本体切欠き部が形成され、
カバーの突出部の間には、基板ケースをケースホルダーに固定するための固定部が設けられており、
固定部は、ケース本体切欠き部を通して、基板ケースをケースホルダーに固定すること、
を特徴とする遊技機。
【手続補正２】
【補正対象書類名】明細書
【補正対象項目名】００１４
【補正方法】変更
【補正の内容】
【００１４】
上記目的を達成するために、請求項１に係る本発明の基板ケースは、ケース本体とカバーとが嵌合することにより形成される箱状の内部空間内に、遊技機用の回路基板を封入する基板ケースであって、背板とその周囲の上下・左右の側壁によって箱状となるケース本体とカバーの上側壁の上面の両側には、対応位置にそれぞれ突出部が形成されており、該突出部の一方には、ロックピンユニットを内向きと外向きの２つの方向に保持する保持部が設けられ、該突出部の他方には、ロックピンユニットのロックピンが嵌合する嵌合孔を有し、保持部を両側から挟む一対の爪部からなる第１ピン操作部が設けられ、下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、ケース本体の突出部の間にはケース本体切欠き部が形成され、カバーの突出部の間には、基板ケースをケースホルダーに固定するための固定部が設けられており、固定部は、ケース本体切欠き部を通して、基板ケースをケースホルダーに固定することを特徴とする。
請求項２に係る本発明の基板ケースは、請求項１に記載の基板ケースにおいて、固定部は、基板ケースとケースホルダーとの閉止動作に伴って、一方の固定部に保持されたロックピンユニットのロックピンが、他方の固定部に設けられた第２ピン操作部の嵌合孔に進入して、基板ケースとケースホルダーとが開放不能に固定されることを特徴とする。
請求項３に係る本発明の遊技機は、機内に固定されたケースホルダーに基板ケースを保持する遊技機において、基板ケースは、ケース本体とカバーとが嵌合することにより形成される箱状の内部空間内に遊技機用の回路基板を封入すると共に、背板とその周囲の上下・左右の側壁によって箱状となるケース本体とカバーの上側壁の上面の両側には、対応位置にそれぞれ突出部が形成されており、該突出部の一方には、ロックピンユニットを内向きと外向きの２つの方向に保持する保持部が設けられ、該突出部の他方には、ロックピンユニットのロックピンが嵌合する嵌合孔を有し、保持部を両側から挟む一対の爪部からなる第１ピン操作部が設けられ、下縁部が回動可能に係合したケース本体とカバーとの閉止動作に伴って、一方の突出部に保持されたロックピンユニットのロックピンが、他方の突出部に設けられた第１ピン操作部の嵌合孔に進入して、ケース本体とカバーとが開放不能に固定され、ケース本体の突出部の間にはケース本体切欠き部が形成され、カバーの突出部の間には、基板ケースをケースホルダーに固定するための固定部が設けられており、固定部は、ケース本体切欠き部を通して、基板ケースをケースホルダーに固定することを特徴とする。